(57)【要約】      （修正有）【課題】新規な連結組立体を提供することを課題とする。【解決手段】本考案による、折り畳み式踏み台などに用いられる連結組立体（１０）は、一つの持ち上げレバー（１００）を含んでおり、使用者が連結組立体（１０）の折り畳み又は伸展を制御するために用いられ、手を連結組立体（１０）に直接接触する必要がなく、便利であるばかりでなく、指挟みによる怪我を防止できる。【選択図】図１ａ
0003212402.tif 000002
【実用新案登録請求の範囲】
【請求項１】
第１軸部と第１連結部とを含み、前記第１軸部が第１伸展ストッパーと第１軸孔とを備え、且つ前記第１連結部が第１連結孔を備える第１クランクと、
第２軸部と第２連結部とを含み、前記第２軸部が第２伸展ストッパーと第２軸孔とを備え、且つ前記第２連結部が第２連結孔を備える第２クランクと、
穿孔片と持ち上げ片とを含み、前記穿孔片が第３軸孔を備える持ち上げレバーと、
前記第１軸孔、前記第２軸孔及び前記第３軸孔を挿通する軸棒と、
を包括する連結組立体において、
前記第１伸展ストッパー及び前記第２伸展ストッパーの設置としては前記連結組立体を伸展した時、前記第１クランク及び前記第２クランクが前記軸棒を回していると、前記第１伸展ストッパー及び前記第２伸展ストッパーが前記持ち上げ片に当たることで回転を停止することを特徴とする連結組立体。
【請求項２】
前記持ち上げレバーは、保護用キャップを更に含み、前記持ち上げ片が固定フックを備え、且つ前記保護用キャップが固定孔を備え、前記保護用キャップが前記持ち上げ片を被せた時、前記固定フックが前記固定孔に掛止することで、前記保護用キャップを前記持ち上げ片上に固定することを特徴とする請求項１に記載の連結組立体。
【請求項３】
前記第１クランクの前記第１軸部は、第１折り畳みストッパーを更に含み；及び、
前記第２クランクの前記第２軸部は、第２折り畳みストッパーを更に含み、
前記第１折り畳みストッパー及び前記第２折り畳みストッパーの設置としては、前記連結組立体が折り畳みした時、前記第１クランク及び前記第２クランクが前記軸棒を回していると、前記第１折り畳みストッパー及び前記第２折り畳みストッパーが前記持ち上げ片に当たることで回転を停止することを特徴とする請求項１に記載の連結組立体。
【請求項４】
前記第１クランクは、第１アーム部を更に含み、前記第１軸部が前記第１アーム部を通じて前記第１連結部に連接し；及び、
前記第２クランクは、第２アーム部を更に含み、前記第２軸部が前記第２アーム部を通じて前記第２連結部に連接することを特徴とする請求項１に記載の連結組立体。
【請求項５】
前記第１クランクは、前記第１軸部と前記第１アーム部の間に位置する曲げ部を更に備え、前記第１軸部と前記第２軸部が重なった状態において、前記第１アーム部と前記第２アーム部を同一平面にさせるよう配置することを特徴とする請求項４に記載の連結組立体。
【請求項６】
第１一対の支柱と、
第２一対の支柱と、
請求項１〜５のいずれか一項に記載の連結組立体と、
を含む折り畳み式踏台において、
前記第１クランクの前記第１連結孔によって前記第１クランクを前記第１一対の支柱のいずれかに連結し、且つ前記第２クランクの前記第２連結孔によって前記第２クランクを前記第２一対の支柱のいずれかに連結することを特徴とする折り畳み式踏台。
【請求項７】
前記第１一対の支柱及び前記第２一対の支柱のいずれか又は複数の支柱上には、１個或いは複数の挟み防止パッドを取り付けることを特徴とする請求項６に記載の折り畳み式踏台。
【考案の詳細な説明】
【技術分野】
【０００１】
本考案は、連結組立体に関し、特に、折り畳み可能な連結組立体に関する。
【背景技術】
【０００２】
従来の折り畳み可能な連結組立体は、使用において折り畳み或いは伸展を制御する時に使用者が手で直接連結組立体のクランクに接触する必要があるが、クランクが油汚れの可能性があり、折り畳み或いは伸展した時、クランクの回転により、指挟み事故の恐れがあるため、不便である以外に、不安全でもある。
【０００３】
これにより、上記問題を解決するため、改良された折り畳み可能な連結組立体が求められていた。
【考案の概要】
【考案が解決しようとする課題】
【０００４】
本考案の一実施形態の連結組立体は、上記問題を解決するために用いられる。
【課題を解決するための手段】
【０００５】
本考案の一実施形態において、連結組立体は、第１軸部と第１連結部とを含み、該第１軸部が第１伸展ストッパーと第１軸孔とを備え、且つ該第１連結部が第１連結孔を備える第１クランクと、第２軸部と第２連結部とを含み、該第２軸部が第２伸展ストッパーと第２軸孔とを備え、且つ該第２連結部が第２連結孔を備える第２クランクと、穿孔片と持ち上げ片とを含み、該穿孔片が第３軸孔を備える持ち上げレバーと、該第１軸孔、第２軸孔及び第３軸孔を挿通する軸棒と、を包括し、該第１伸展ストッパー及び該第２伸展ストッパーの設置としては該連結組立体を伸展した時、該第１クランク及び該第２クランクが該軸棒を回していると、該第１伸展ストッパー及び該第２伸展ストッパーが該持ち上げ片に当たることで、回転を停止する。
【０００６】
本考案の連結組立体を応用した一実施形態において、折り畳み式踏台は第１一対の支柱と第２一対の支柱と上記連結組立体とを含み、該第１クランクの該第１連結孔によって該第１クランクを該第１一対の支柱のいずれかに連結し、且つ該第２クランクの該第２連結孔によって該第２クランクを該第２一対の支柱のいずれかに連結する。従って、連結組立体を折り畳み式踏台の支柱に固定することで、折り畳み式踏台の伸展と折り畳みを制御する。
【０００７】
上記では本考案の技術的な特徴及び利点を非常に幅広く要約し、下記の本考案の詳細説明をよく理解してもらう。本考案の請求の範囲の標的を構成する他の技術的特徴及び利点を下記に記述する。本考案の属する技術の分野における通常の知識を有する者は、非常に容易に下記概念及び特定の実施形態を利用してその他の構造又は製造プロセスを修正或いは設計して本考案と同じ目的を実現できる。これら均等な改変が添付する請求の範囲で特定する本考案の精神及び範囲から逸脱できないことは、本考案の属する技術の分野における通常の知識を有する者にとって明白である。
【考案の効果】
【０００８】
本考案によれば、上述した従来の問題点を解決することができる。
【図面の簡単な説明】
【０００９】
【図１ａ】本考案の一実施形態に係る連結組立体の立体図である。
【図１ｂ】図１ａの連結組立体の上面図である。
【図１ｃ】図１ａの連結組立体を他側から見た立体図である。
【図２】図１ｃの実施形態の連結組立体が軸心線に沿って分解された立体分解図である。
【図３】本考案の第１クランクの立体図である。
【図４】本考案の第２クランクの立体図である。
【図５ａ】本考案の持ち上げレバーの立体図である。
【図５ｂ】図５ａの持ち上げレバーの側面図である。
【図５ｃ】図５ｂの持ち上げレバーの保護用キャップの底部から見た立体図である。
【図６ａ】図１ａの連結組立体から保護用キャップを取り外した後の側面図である。
【図６ｂ】図６ａの連結組立体が折り畳み状態にある場合を示す模式図である。
【図７】本考案を折り畳み式踏台に応用した実施形態の立体図である。
【図８ａ】本考案を手すり付き脚立に応用した別の実施形態の側面図である。
【図８ｂ】本考案を手すり付き脚立に応用した別の実施形態の側面図である。
【図９ａ】本考案を脚立に応用した更なる実施形態の側面図である。
【図９ｂ】本考案を脚立に応用した更なる実施形態の側面図である。
【図９ｃ】本考案を脚立に応用した更なる実施形態の側面図である。
【考案を実施するための形態】
【００１０】
図１ａは、本考案の一実施形態に係る連結組立体の立体図である。図１ｂは、図１ａの連結組立体の上面図である。図１ｃは、図１ａの連結組立体を他側から見た立体図であり、その相違点としては図１ａの保護用キャップ２００が近い側にあり、図１ｃの保護用キャップ２００が遠い側にある。
【００１１】
図２は、図１ｃの実施形態の連結組立体が軸心線Ｃに沿って分解された立体分解図である。図２に示すように、本考案の一実施形態に係る連結組立体は、第１クランク３００と第２クランク４００と持ち上げレバー１００と軸棒７００とを含む。また、持ち上げレバー１００の外側に座金５００を設けることができ、持ち上げレバー１００と第１クランク３００の間に座金６００を設けてもよい。組立てる時、軸棒７００が軸心線Ｃに沿って第１クランク３００の第１軸孔３１６、第２クランク４００の第２軸孔４１６及び持ち上げレバー１００上の第３軸孔１１２を貫通する。
【００１２】
図３は、本考案の第１クランク３００の立体図である。第１クランク３００は、第１軸部３１０と第１アーム部３２０と第１連結部３３０とを含み、第１軸部３１０が第１伸展ストッパー３１４と第１軸孔３１６とを備える。第１軸部３１０は、第１アーム部３２０を通じて第１連結部３３０に連接し、第１連結部３３０が第１連結孔３３２を備え、第１連結孔３３２により、例えば折り畳み式踏台の支柱といった加力したい対象を連結する。
【００１３】
第１クランク３００は、更に第１軸部３１０と第１アーム部３２０の間に位置する曲げ部３４０を選択的に備え、図１ｂに示すように、第１軸部３１０と該第２クランク４００の第２軸部４１０が重なった状態において、第１アーム部３２０と第２クランク４００の第２アーム部４２０を同一平面にさせるよう配置し、第１クランク３００の第１アーム部３２０と第２クランク４００の第２アーム部４２０を同一平面にさせる。
【００１４】
図４は、本考案の第２クランク４００の立体図である。第２クランク４００は、第２軸部４１０と第２アーム部４２０と第２連結部４３０とを含み、第２軸部４１０が第２伸展ストッパー４１４と第２軸孔４１６とを備える。第２軸部４１０は、第２アーム部４２０を通じて第２連結部４３０に連接し、第２連結部４３０が第２連結孔４３２を備え、第２連結孔４３２により、例えば前記折り畳み式踏台の別の支柱といった加力したい対象を連結する。
【００１５】
図５ａは、本考案の持ち上げレバー１００の立体図であり、穿孔片１１０と持ち上げ片１２０とを含み、穿孔片１１０と持ち上げ片１２０が１つの角度をなして連なり（例えば、図５ａの持ち上げレバー内の穿孔片１１０と持ち上げ片１２０が直角をなして連なる）、穿孔片が第３軸孔１１２を備える。
【００１６】
図５ｂは、図５ａの持ち上げレバー１００の側面図であり、持ち上げ片１２０が固定フック１２２を選択的に備えることができる。図５ｃは、図５ｂの持ち上げ片１２０を被せるために用いられる保護用キャップ２００の保護用キャップ底部２３０から見た立体図であり、保護用キャップ２００の保護用キャップ底部２３０には固定孔２２２を選択的に備え、保護用キャップ２００がキャップ口部２２０を経由して持ち上げ片１２０を被せた時、持ち上げ片１２０の固定フック１２２が保護用キャップ２００の固定孔２２２に掛止することで、保護用キャップ２００を持ち上げ片１２０上に固定する。
【００１７】
図６ａは、図１ａの連結組立体１０から保護用キャップ２００を取り外した後で、且つ持ち上げ片１２０が固定フックを具えていない場合の側面図である。連結組立体１０が伸展状態にあり、第１クランク３００の第１伸展ストッパー３１４及び第２クランク４００の第２伸展ストッパー４１４の設置としては該連結組立体１０を伸展した時、第１クランク３００及び第２クランク４００が軸棒７００を回していると、第１伸展ストッパー３１４及び第２伸展ストッパー４１４が持ち上げ片１２０に当たることで、回転を停止する。こうして該第１クランク３００及び該第２クランク４００の継続回転を防止して伸展状態のまま止めることができる。
【００１８】
図６ｂは、図６ａの連結組立体１０が折り畳み状態にある場合を示す模式図である。図に示すように、第１クランク３００の第１軸部３１０は、第１折り畳みストッパー３１２を更に含み；及び第２クランク４００的の第２軸部４１０が第２折り畳みストッパー４１２を更に含み、第１折り畳みストッパー３１２及び第２折り畳みストッパー４１２の設置としては、連結組立体１０が折り畳みした時、第１クランク３００及び第２クランク４００が軸棒７００を回していると、第１折り畳みストッパー３１２及び第２折り畳みストッパー４１２が持ち上げ片１２０に当たることで、回転を停止する。こうして第１クランク３００及び第２クランク４００の継続回転を防止して折り畳み状態のまま止めることができる。
【００１９】
図６ａ及び図６ｂを参照すると、本実施形態の持ち上げレバー１００は、使用者の加力に有利となる。使用者が手指で上向きに持ち上げレバー１００を引き上げた時、第１クランク３００及び第２クランク４００は持ち上げレバー１００下方において回転しながら近付けることで、連結組立体を図６ｂに示すような折り畳み状態に折り畳む。図６ｂに示す折り畳み状態にあった時、使用者が手の指で下向き持ち上げレバー１００を下押した時、第１クランク３００及び第２クランク４００が持ち上げレバー１００の下方で回転しながら離れることで、連結組立体を図６ａに示すような伸展状態に伸展する。
【００２０】
図７は、本考案を折り畳み式踏台１に応用した実施形態の立体図である。図７に示すような折り畳み式踏台１は、２つの連結組立体１０と第１一対の支柱２０と第２一対の支柱４０とを含む。第１一対の支柱２０は、連結組立体１０の第１クランクの第１連結孔に連結することができ、第２対の支柱４０が連結組立体１０の第２クランクの第２連結孔４３２に連結することができる。従って連結組立体１０の持ち上げレバーを利用して折り畳み式踏台１の伸展或いは折り畳みを制御できる。第１一対の支柱２０及び第２一対の支柱４０に挟み防止パッド６０を選択的に取り付けることで、折り畳んだ時に二対の支柱が互いに接触するのを避けることができる。
【００２１】
本考案は、なお様々な応用があり、図８ａ及び図８ｂが本考案を手すり付き脚立に応用した別の実施形態の側面図である。図８ａ及び図８ｂに示すような手すり付き脚立は、２つの連結組立体１０と第１一対の支柱２０と第２一対の支柱４０とを含む。同様に、第１一対の支柱２０及び第２一対の支柱４０は、連結組立体１０に連結することができる。
【００２２】
図９ａ、図９ｂ及び図９ｃは、本考案を脚立に応用した更なる実施形態の側面図である。図９ｃは脚立が折り畳みされた状態を示す。図９ａ、図９ｂ及び図９ｃに示すような脚立は、２つの連結組立体１０と第１一対の支柱２０と第２一対の支柱４０とを含む。同様に、第１一対の支柱２０及び第２一対の支柱４０は、連結組立体１０に連結することができ、図９ｃ内において、連結組立体１０が折り畳みの状態を呈する。
【符号の説明】
【００２３】
１…折り畳み式踏台、１０…連結組立体、２０…第１一対の支柱、４０…第２一対の支柱、６０…挟み防止パッド、１００…持ち上げレバー、１１０…穿孔片、１１２…第３軸孔、１２０…持ち上げ片、１２２…固定フック、２００…保護用キャップ、２２０…キャップ口部、２２２…固定孔、２３０…保護用キャップ底部、３００…第１クランク、３１０…第１軸部、３１２…第１折り畳みストッパー、３１４…第１伸展ストッパー、３１６…第１軸孔、３２０…第１アーム部、３２２…第１アーム部貫通孔、３３０…第１連結部、３３２…第１連結孔、３４０…曲げ部、４００…第２クランク、４１０…第２軸部、４１２…第２折り畳みストッパー、４１４…第２伸展ストッパー、４１６…第２軸孔、４２０…第２アーム部、４２２…第２アーム部通孔、４３０…第２連結部、４３２…第２連結孔、５００…座金、６００…座金、７００…軸棒、Ｃ…軸心線。
【図１ａ】
0003212402.tif 000003
【図１ｂ】
0003212402.tif 000004
【図１ｃ】
0003212402.tif 000005
【図２】
0003212402.tif 000006
【図３】
0003212402.tif 000007
【図４】
0003212402.tif 000008
【図５ａ】
0003212402.tif 000009
【図５ｂ】
0003212402.tif 000010
【図５ｃ】
0003212402.tif 000011
【図６ａ】
0003212402.tif 000012
【図６ｂ】
0003212402.tif 000013
【図７】
0003212402.tif 000014
【図８ａ】
0003212402.tif 000015
【図８ｂ】
0003212402.tif 000016
【図９ａ】
0003212402.tif 000017
【図９ｂ】
0003212402.tif 000018
【図９ｃ】
0003212402.tif 000019